(57)【要約】【課題】読み聞かせが手軽にできる絵本の提供を課題とする。【解決手段】物語を記述した文章と、物語に登場するキャラクターなどのイラスト２２とが印刷されてなる複数のページ構成体２０とを、表紙１０の中に頁めくり可能に綴じ込んだ絵本１であって、前記表紙１０と前記ページ構成体２０との少なくとも一方に、電子機器３０で読み取り可能な読み取りコード２３ａを付してあると共に、前記読み取りコード２３ａは、前記文章を読み上げる音声データや物語の場面に対応する音楽データなどの音データが格納されているインターネット上のウェブサイトに関連付けられており、前記読み取りコード２３ａを電子機器３０で読み取ると、前記ウェブサイトにアクセスして、前記音データが電子機器３０で再生される絵本１である。【選択図】      図１
0003221013.tif 000002
【実用新案登録請求の範囲】
【請求項１】
物語を記述した文章と、物語に登場するキャラクターなどのイラストとが印刷されてなる複数のページ構成体とを、表紙の中に頁めくり可能に綴じ込んだ絵本であって、前記表紙と前記ページ構成体との少なくとも一方に、電子機器で読み取り可能な読み取りコードを付してあると共に、前記読み取りコードは、前記文章を読み上げる音声データや物語の場面に対応する音楽データなどの音データが格納されているインターネット上のウェブサイトに関連付けられており、前記読み取りコードを電子機器で読み取ると、前記ウェブサイトにアクセスして、前記音データが電子機器で再生されることを特徴とする絵本。
【請求項２】
読み取りコードは、ＱＲコード（登録商標）であることを特徴とする請求項１に記載の絵本。
【請求項３】
読み取りコードが、イラストの一部を構成することを特徴とする請求項１又は２に記載の絵本。
【考案の詳細な説明】
【技術分野】
【０００１】
本考案は、読み聞かせを手軽に行うことができる絵本に関する。
【背景技術】
【０００２】
絵本は、様々な世界観を創造的に体験できることから、特に幼児期における情操教育にとって非常に重要な役割を担っている。従来、このような絵本は、物語を記述した文章と、物語に登場するキャラクターなどのイラストとが印刷されてなる複数のページ構成体とを表紙の中に頁めくり可能に綴じ込んであるものが一般的であった。よって、幼児が自ら読むか、親などが幼児に読み聞かせを行うかといった二通りの利用方法に限られているものがほとんどであった。
近年、読み聞かせを苦手とする親も増えてきたとことから、従来の絵本に対して、音声などを発生することができる絵本の開発が望まれるところである。
このような音声などを発生することができる絵本を示す従来技術として、下記特許文献１がある。
【先行技術文献】
【特許文献】
【０００３】
【特許文献１】特開２０１３−９９４０１号公報
【考案の概要】
【考案が解決しようとする課題】
【０００４】
上記特許文献１に示す従来技術は、音声発生絵本ユニットに関する発明で、絵本部１０と、絵本部１０と結合されて音声を発するユニット本体１００とを備える音声発生絵本ユニット２００であって、絵本１０には、記憶媒体と、絵本側接続部と、を備え、ユニット本体１００には、裏表紙挿入部と、裏表紙挿入部内にユニット本体側接続部と、平板部１０５と、頁判別手段と音声データや音楽データまたは効果音データを記憶媒体から読出し再生する音声記憶再生手段とを制御する制御部とを備え、制御部が絵本部１０をユニット本体１００に結合すると、判別した頁に対応する文章の音声データや音楽データ又は効果音データを前記記憶媒体から読出し再生する技術が開示されている。
しかしながら、上記特許文献１に示す音声発生絵本ユニットは、音声を発生するユニット本体１００に絵本部１０を嵌め込んで結合させる構成であることから、大掛かりな装置が必要で、ユニット本体１００と絵本部１０との結合にも時間がかかり、読み聞かせを手軽に行うことができないという問題があった。
【０００５】
そこで本考案は上記従来技術の問題を解消し、絵本の読み聞かせを手軽に行うことができる絵本の提供を課題とする。
【課題を解決するための手段】
【０００６】
本発明の絵本は、物語を記述した文章と、物語に登場するキャラクターなどのイラストとが印刷されてなる複数のページ構成体とを、表紙の中に頁めくり可能に綴じ込んだ絵本であって、前記表紙と前記ページ構成体との少なくとも一方に、電子機器で読み取り可能な読み取りコードを付してあると共に、前記読み取りコードは、前記文章を読み上げる音声データや物語の場面に対応する音楽データなどの音データが格納されているインターネット上のウェブサイトに関連付けられており、前記読み取りコードを電子機器で読み取ると、前記ウェブサイトにアクセスして、前記音データが電子機器で再生されることを第１の特徴としている。
また本考案の絵本は、上記第１の特徴に加えて、読み取りコードは、ＱＲコード（登録商標）であることを第２の特徴としている。
また本考案の絵本は、上記第１又は第２の特徴に加えて、読み取りコードが、イラストの一部を構成することを第３の特徴としている。
【考案の効果】
【０００７】
請求項１に記載の絵本によれば、物語を記述した文章と、物語に登場するキャラクターなどのイラストとが印刷されてなる複数のページ構成体とを、表紙の中に頁めくり可能に綴じ込んだ絵本であって、前記表紙と前記ページ構成体との少なくとも一方に、電子機器で読み取り可能な読み取りコードを付してあると共に、前記読み取りコードは、前記文章を読み上げる音声データや物語の場面に対応する音楽データなどの音データが格納されているインターネット上のウェブサイトに関連付けられており、前記読み取りコードを電子機器で読み取ると、前記ウェブサイトにアクセスして、前記音データが電子機器で再生されることから、大掛かりな装置が不要で、複雑な操作なしに絵本の読み聞かせを手軽に行うことができる。
【０００８】
また請求項２に記載の絵本によれば、上記請求項１に記載の構成による作用効果に加えて、読み取りコードは、ＱＲコード（登録商標）であることから、認識精度が高く、大容量のデータの収納が可能で、作成が容易な読み取りコードとすることができる。また、小スペースへの印刷が可能であることから、絵本の内容や世界観を邪魔することのない読み取りコードとすることができる。
【０００９】
また請求項３に記載の絵本によれば、上記請求項１又は請求項２に記載の構成による作用効果に加えて、読み取りコードが、イラストの一部を構成することから、絵本の内容や世界観を一段と邪魔することがなく、また、読み手に対して読み取りコードを探す楽しみを与えることが可能な絵本とすることができる。
【図面の簡単な説明】
【００１０】
【図１】本考案の実施形態に係る絵本を示す図で、（ａ）は開いた絵本を内側から見た図で、絵本に付された読み取りコードを電子機器３０で読み取る状態を示す図、（ｂ）は開いた絵本を外側から見た図である。
【図２】本考案の実施形態に係る絵本を示す図と、絵本を介して読み聞かせを行うシステム構成を示す図で、（ａ）は絵本を構成するページ構成体の要部を示す図、（ｂ）は絵本を介して読み聞かせを行うシステム構成を模式的に示す図である。
【考案を実施するための形態】
【００１１】
以下の図面を参照して、本考案の実施形態に係る絵本を説明し、本考案の理解に供する。しかし、以下の説明は本考案の実用新案登録請求の範囲に記載の考案を限定するものではない。
【００１２】
図１、図２を参照して、本考案の実施形態に係る絵本１を説明する。
【００１３】
本考案の実施形態に係る絵本１は、電子機器を介して物語の読み聞かせを行うことができる絵本である。
この絵本１は、表紙１０と、ページ構成体２０とで構成される。
【００１４】
前記表紙１０は、絵本１の骨格を構成すると共に、複数枚のページ構成体２０を頁めくり可能に綴じ込むためのもので、図１に示すように、表表紙１１と、裏表紙１２と、背表紙１３とで構成される。
本実施形態においては、表表紙１１と、裏表紙１２と、背表紙１３とを矩形状で構成してある。勿論、このような構成に限るものではなく、表表紙１１、裏表紙１２、背表紙１３の形状、大きさ、厚みは本実施形態のものに限るものではなく、適宜変更可能である。
また、図示していないが、表表紙１には、通常の絵本と同様に絵本のタイトルが印刷されている。
なお、表表紙１１と、裏表紙１２と、背表紙１３は、汎用されている絵本の表表紙、裏表紙、背表紙と同様の素材で形成されている。
【００１５】
前記ページ構成体２０は、絵本１の本文部分を構成するものである。
本実施形態においては、表表紙１１、裏表紙１２と略同じ形状、大きさで構成される矩形状の厚紙でページ構成体２０を形成してある。
このページ構成体２０は、文字印刷領域２１を備え、文字印刷領域２１に物語の文章を構成する文字２１ａが印刷されている。また、文字印刷領域２１と重ならない領域に、物語に登場するキャラクターのイラスト２２が印刷されている。
本実施形態においては図１に示すように、このようなページ構成体２０を四枚備える構成としてある。
なお、図１（ａ）においては、全ての文字印刷領域２１に文字２１ａが印刷されているところ、説明の便宜上、一部の文字印刷領域２１だけに文字を付す構成としてある。また、図１（ａ）、図２（ａ）においては、本来は物語の文章を構成する文字２１ａが印刷されているところ、説明の便宜上、五十音の文字を記すものである。
【００１６】
なお、文字印刷領域２１やイラスト２２の数や配置位置は本実施形態のものに限るものではなく、適宜変更可能である。例えば、文字印刷領域２１とイラスト２２とが重なるような構成としてもよい。
また、ページ構成体２０は、文字印刷領域２１と、イラスト２２との両方を常に備える必要はなく、文字印刷領域２１とイラスト２２との何れか一方を備える構成としてもよい。
更に、本実施形態のように枠線で囲んだ文字印刷領域２１を用いずに、文字２１ａをページ構成体２０の任意の位置に印刷する構成としてもよい。
また、ページ構成体２０に印刷されるイラスト２２は、本実施形態のように、物語に登場するキャラクターに限られるものではない。例えば、物語の各場面に対応する風景や、食べ物、置物など、他のイラストを印刷する構成としてもよい。
【００１７】
また、本実施形態においては、表表紙１をめくった１枚目のページ構成体２０に、読み取りコード印刷領域２３を一つ設けてある。そして、この読み取りコード印刷領域２３に、電子機器３０（本実施形態においては携帯電話）で読み取り可能な読み取りコード２３ａを付して（印刷して）ある。
より具体的には、物語の文章を日本語で読み上げる音声データや物語の各場面に対応する音楽データ、効果音データなどの音データが格納されているインターネット上のウェブサイトに関連付けられているＱＲコード（登録商標）を一つ付してある。つまり、ここで「音データ」とは、音声データ、音楽データ、効果音データなど、音に関するデータは全て含む概念である。
更に、本実施形態においては、物語の文章を読み上げる音声データとして、声優が読み上げた音声データを用いる構成としてある。加えて、本実施形態においては、物語の最初から最後までを読み上げる音声データと、利用者２にページをめくるタイミングを知らせるべく、一つのページに印刷されている文章の読み上げが終わる毎に効果音が鳴る効果音データと、物語の各場面に対応した音楽データとを組み合わせた音データを用いる構成としてある。勿論、音データはこのような構成に限るものではなく、適宜変更可能である。
【００１８】
なお、読み取りコード２３ａをページ構成体２０に印刷する構成としては、本実施形態のように枠線で囲んだ読み取りコード印刷領域２３を用いずに、読み取りコード２３ａをページ構成体２０の任意の位置に印刷する構成としてもよい。
【００１９】
また、本実施形態のように読み取りコード２３ａを独立させて付す構成とせずに、読み取りコード２３ａがイラスト２２の一部を形成するような構成としてもよい。具体的には、例えば、物語に登場するキャラクターの一部や、風景の一部を読み取りコード２３ａで形成する構成としてもよい。なお、このようにイラスト２２の一部を形成する読み取りコード２３ａを用いる場合には、読み取りコード２３ａを探す時間が必要となることから、物語の文章を読み上げる音声データと関連付けられた読み取りコード２３ａではなく、別途特別な文章や音データと関連付けられた読み取りコード２３ａとすることが望ましい。これによって、読み取りコード２３ａを探す楽しみを持ちながら、読み取りコード２３ａが見つからないことに伴って、物語の文章の読み聞かせの開始が遅れることを効果的に防止することができる。
【００２０】
次に図２（ｂ）を参照して、本発明の実施形態に係る絵本１を用いて読み聞かせを行う際の流れを説明する。
【００２１】
まず、読み聞かせを行いたい利用者２（例えば、幼児の親）が、ページ構成体２０に付されている読み取りコード２３ａ（ＱＲコード（登録商標））を電子機器３０（携帯電話）で読み取る。なお、図示していないが、この電子機器３０は、ＱＲコード（登録商標）を読み取り可能なアプリケーションや、音声データや音データを再生可能な各種機能を備えている。
すると、電子機器３０から電気通信回線１００を介して、ＱＲコード（登録商標）が読み取られたという情報データがサーバ４０に送られる。
そして、サーバ４０は、絵本１の物語を構成する文章を読み上げる音声データと、物語の場面に対応する音楽データなどの音データとが格納されているインターネット上のウェブサイトと、電子機器３０との接続を開始する。
これによって、電子機器３０から、絵本１の物語を構成する文章を読み上げる音声データと、ページをめくるタイミングを知らせる効果音データと、物語の場面に対応する音楽データとが再生される。
以上によって、利用者２（例えば、幼児の親）が幼児に絵本１の読み聞かせを行うことできる。
【００２２】
このような構成からなる本考案の実施形態に係る絵本１は、以下の効果を奏する。
【００２３】
電子機器３０で読み取り可能であると共に、絵本１の物語を構成する文章を読み上げる音声データや物語の場面に対応する音楽データなどの音データとが格納されているインターネット上のウェブサイトに関連付けられている読み取りコード２３ａをページ構成体２０に付す構成とすることで、電子機器３０で読み取りコードを読み取るだけで、絵本１の読み聞かせを行うことができる。よって、読み聞かせを苦手とする親や大人であっても、幼児に対して読み聞かせを容易且つ手軽に行うことができる。
加えて、絵本１を目で見て、耳で聞き、感じることができることで、物語の世界観に一段と没入でき、臨場感のある体験を楽しむことができる絵本１とすることができる。従って、幼児の情操教育に一段と有効な絵本１とすることができる。
更に、物語の文章を読み上げる音声データとして、声優が読み上げた音声データを用いる構成とすることで、一段と臨場感があり、あたかも物語の中に入り込んだようなハラハラ感、ドキドキ感を感じ、楽しむことができる絵本１とすることができる。
【００２４】
また、例えば、幼児の親とその子とで絵本１の読み聞かせを行う場合においては、臨場感のある体験を共有できることで、親子間のコミュニケーションが一段と促進され、親子間の絆をより深めることが可能な絵本１とすることができる。
【００２５】
また、読み取りコード２３ａとして、ＱＲコード（登録商標）を用いる構成とすることで、認識精度が高く、大容量のデータの収納が可能で、作成が容易な読み取りコード２３ａとすることができる。また、小スペースへの印刷が可能であることから、絵本１の内容や世界観を邪魔することのない読み取りコード２３ａとすることができる。
【００２６】
また、イラストの一部で読み取りコード２３ａを形成する構成とすれば、絵本１の内容や世界観を一段と邪魔することがなく、また、読み取りコード２３ａを探す楽しみを新たに付加することができる絵本１とすることができる。
【００２７】
なお、本実施形態においては、ページ構成体２０に読み取りコード２３ａを付す構成としたが、必ずしもこのような構成に限るものではなく、表紙１０に読み取りコード２３ａを付す構成としてもよい。
【００２８】
また、本実施形態においては、絵本１に読み取りコード２３ａを一つだけ付す構成としたが、読み取りコード２３ａを付す数はこのような構成に限るものではなく、例えば、各ページに読み取コード２３ａを付すなど、複数の読み取りコード２３ａを付す構成としてもよい。
【００２９】
また、本実施形態においては、読み取りコード２３ａとして、マトリクス型の二次元コードであるＱＲコード（登録商標）を用いる構成としたが、読み取りコード２３ａはＱＲコード（登録商標）に限られるものではなく、電子機器３０で読み取り可能な他の一次元コードや二次元コードを用いる構成としてもよい。例えば、読み取りコード２３ａとして、いわゆる二次元のカラーバーコードを用いる構成とすることができる。このような構成とすることで、ＱＲコード（登録商標）よりもデザイン性に富み、大容量のデータの収納が可能な読み取りコード２３ａとすることができる。
【００３０】
また、本実施形態においては、電子機器３０で読み取りコード２３ａを読み取った際に、物語を構成する文章を日本語で読み上げる構成としたが、読み上げる言語は日本語に限るものではなく、英語、フランス語、イタリア語など、日本語以外の他の言語としてもよい。或いは、それぞれの言語に対応した複数の読み取りコード２３ａを絵本１に付す構成としてもよい。
このような構成とすることで、様々な国籍の人に対して読み聞かせが可能であると共に、語学教育を行うことも可能な絵本１とすることができる。
【００３１】
また、本実施形態においては、読み取りコード２３ａを介して電子機器３０で取得できるデータとして、文章を読み上げる音声データ、ページをめくるタイミングを知らせる効果音データ、物語の場面に対応する音楽データとを組み合わせた音データを用いる構成としたが、電子機器３０で取得できるデータは、このような構成に限るものではなく、画像データや動画データなどの映像データを取得できる構成としてもよい。
【００３２】
また、本実施形態においては、読み取りコード２３ａを読み取る電子機器３０として、携帯電話を用いる構成としたが、このような構成に限るものではなく、読み取りコードの種類に合わせて、読み取りコードを読み取り可能な電子機器であれば如何なるものを用いてもよい。
【産業上の利用可能性】
【００３３】
本考案の絵本は、手軽に読み聞かせを行うことが可能であることから、絵本の産業分野において有用であり、産業上の利用可能性が大きい。
【符号の説明】
【００３４】
１        絵本
２        利用者
１０      表紙
１１      表表紙
１２      裏表紙
１３      背表紙
２０      ページ構成体
２１      文字印刷領域
２１ａ    文字
２２      イラスト
２３      読み取りコード印刷領域
２３ａ    読み取りコード
３０      電子機器
４０      サーバ
１００    電気通信回路
【図１】
0003221013.tif 000003
【図２】
0003221013.tif 000004